【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】
【請求項１】  基地局信号を処理するワイヤレス通信システムの遠隔ユニットによって使用する方法は、以下の工程を具備している：
基地局からのメッセージのロウデータサンプルを受信する、
復号化されたデータサンプルを得るために前記ロウデータサンプルを復号化する、
前記復号化されたデータサンプルが構文解析される前に前記復号化されたデータサンプルと基準パターンとを比較する、
前記比較に基づいて前記メッセージの内容を決定する。
【請求項２】  請求項１に記載の方法は、更に以下を具備している：
基準パターンが記憶されないとき、
前記メッセージを構文解析する、
メモリ内の記憶された基準パターンとして前記メッセージの少なくとも一部を記憶する。
【請求項３】  請求項２に記載の方法に於いて、前記記憶は、前記メッセージの予め定められたセクションを記憶する。
【請求項４】  請求項１に記載の方法は、更に以下を具備している：
前記メッセージがエンプティであれば、前記遠隔ユニットの動作のモードを変更する。
【請求項５】  請求項１に記載の方法は、更に以下を具備している：
前記メッセージがエンプティであるとき、前記遠隔ユニットをスリープモードに遷移する。
【請求項６】  通信システムの使用のための遠隔ユニットは、以下を具備している：
ロウデータサンプルとしてページングメッセージを受信するために設定された受信器と、
前記ロウデータサンプルから復号化されたデータサンプルを得るために設定された復号器と、
基準パターンを記憶するために設定されたメモリと、
前記復号化されたデータサンプルと前記基準パターンを比較するために設定されたコンパレータと。
【請求項７】  請求項６に記載の遠隔ユニットは、更に以下を具備している、
前記ページングメッセージがインターリーブされた形態で受信されると、前記ページングメッセージをデインターリーブするために設定されたデインターリーバ。
【請求項８】  請求項６に記載の遠隔ユニットは、更に以下を具備している、
前記遠隔ユニットの動作を制御するために設定されたコントローラ。
【請求項９】  請求項８に記載の遠隔ユニットに於いて、前記コントローラは、前記ページングメッセージがエンプティであり、且つ記憶されたサンプルがメモリ内に存在しないとき、前記ページングメッセージを構文解析するため及び前記ページングメッセージの少なくとも一部を記憶するために設定されたものである。
【請求項１０】  請求項９に記載の遠隔ユニットに於いて、前記コントローラは、前記ページングメッセージの予め定められたセクションを記憶するために更に設定されたものである。
【請求項１１】  請求項９に記載の遠隔ユニットに於いて、前記遠隔ユニットは、前記コントローラがエンプティとして前記ページングメッセージの内容を認識すると、動作のモードを変更するために設定されたものである。
【請求項１２】  請求項９に記載の遠隔ユニットに於いて、前記遠隔ユニットは、前記コントローラがエンプティとして前記ページングメッセージの内容を認識すると、スリープモードに遷移するために設定されたものである。
【請求項１３】  請求項６に記載の遠隔ユニットに於いて、前記コンパレータはマイクロプロセッサで構成される。
【請求項１４】  マルチ基地局を有したワイヤレス通信システムの使用のための遠隔ユニットであって、前記基地局はインターリーブされた形態のページングメッセージを連続的に放送するために設定され、以下を具備している：
ロウデータサンプルとしてページングメッセージを受信するために設定された受信器と、
前記受信器に結合され、前記ロウデータサンプルから復号化されたデータサンプルを得るために設定された復号器と、
基準パターンを記憶するために設定されたメモリと、
前記遠隔ユニットの動作を制御するために設定されたコントローラと、
前記復号化されたデータサンプルと前記基準パターンとを比較するために設定されたコンパレータ。
【請求項１５】  請求項１４に記載の遠隔ユニットは、更に以下を具備している、
インターリーブされた形態で受信された前記ページングメッセージをデインターリーブするためのデインターリーバ。
【請求項１６】  請求項１４に記載の遠隔ユニットに於いて、前記コントローラは、メモリ内に基準サンプルが存在しないとき、前記ページングメッセージを構文解析するため、及び前記ページングメッセージがエンプティであれば、前記ページングメッセージの少なくとも一部を記憶するために更に設定されたものである。
【請求項１７】  請求項１６に記載の遠隔ユニットに於いて、前記コントローラは、前記ページングメッセージの予め定められたセクションを記憶するために更に設定されたものである。
【請求項１８】  請求項１４に記載の遠隔ユニットに於いて、前記遠隔ユニットは、前記コントローラがエンプティとして前記ページングメッセージの内容を認識すると動作のモードを変更するために設定されたものである。
【請求項１９】  請求項１４に記載の遠隔ユニットに於いて、前記遠隔ユニットは、前記コントローラがエンプティとして前記ページングメッセージの内容を認識すると、スリープモードに遷移するために設定されたものである。
【請求項２０】  請求項１４に記載の遠隔ユニットに於いて、前記コンパレータは、イクスクルーシブＯＲ配列で構成される。
【請求項２１】  請求項１４に記載の遠隔ユニットに於いて、前記コンパレータは、マイクロプロセッサで構成される。
【請求項２２】  通信システムの使用のための遠隔ユニットは、以下を具備している：
ロウデータサンプルとしてページングメッセージを受信する手段と、
復号化されたデータサンプルを得るために前記ロウデータサンプルを復号化する手段と、
基準パターンを記憶する手段と、
前記復号化されたデータサンプルと前記基準パターンとを比較する手段。
【請求項２３】  請求項２２に記載の遠隔ユニットは、更に以下を具備している、
前記ページングメッセージがインターリーブされた形態で受信されると、前記ページングメッセージをデインターリーブする手段。
【請求項２４】  請求項２２に記載の遠隔ユニットは、更に以下を具備している、
前記遠隔ユニットの動作を制御する手段。
【請求項２５】  請求項２４に記載の遠隔ユニットに於いて、前記制御する手段は、前記ページングメッセージがエンプティであり、且つ記憶されたサンプルが前記記憶する手段に存在しないとき、前記ページングメッセージを構文解析するため及び前記ページングメッセージの少なくとも一部を記憶するために設定されたものである。
【請求項２６】  請求項２５に記載の遠隔ユニットに於いて、前記制御する手段は、前記ページングメッセージの予め定められたセクションを記憶するために更に設定されたものである。
【請求項２７】  請求項２４に記載の遠隔ユニットに於いて、前記遠隔ユニットは、前記制御する手段がエンプティとして前記ページングメッセージの内容を認識すると、動作のモードを変更するために設定されたものである。
【請求項２８】  請求項２４に記載の遠隔ユニットに於いて、前記遠隔ユニットは、前記制御する手段がエンプティとして前記ページングメッセージの内容を認識すると、スリープモードに遷移するために設定されたものである。
【請求項２９】  請求項２２に記載の遠隔ユニットに於いて、前記比較する手段はマイクロプロセッサで構成される。